(57)【特許請求の範囲】
【請求項１】
原稿を支持する支持面と、
前記支持面を覆う位置と前記支持面を露出させる位置とに開閉するカバー部と、
主走査方向に沿って並ぶ複数の読取素子を備え、前記主走査方向に直交する副走査方向に読取位置を移動しながら前記支持面に支持されている読取対象の原稿の画像を読み取る読取部と、
制御部と、を備え、
前記制御部は、
前記副走査方向における位置であって前記読取部による読取を開始する読取開始位置である第１位置から、前記第１位置よりも前記副走査方向に離れた位置であって前記読取部による読取を終了する読取終了位置である第２位置へ副走査方向に前記読取位置を移動させながら、前記読取対象の原稿の画像を読み取らせる読取処理と、
前記読取処理の実行前に実行される処理であって、前記第１位置と前記第２位置との間に設けられ、かつ前記第１位置から前記副走査方向に所定距離だけ離れた位置を第３位置として、前記読取位置を、前記第３位置から前記第１位置に向かって前記副走査方向に移動させながら前記読取対象の原稿の画像を読み取らせ、その読み取られた原稿の画像データから前記読取対象の原稿の前記主走査方向の原稿幅を決定する決定処理と、を実行可能であり、
前記制御部は、
前記読取処理の実行後、
前記読取位置を前記第２位置から前記第１位置へ向かう方向に移動させる移動処理を実行し、
前記移動処理により、前記読取位置が前記第３位置へ到達するまでの期間に、次の原稿の読取を継続する指示を検出する検出処理を実行し、
前記検出処理により、次の原稿の読取を継続する指示が検出された場合、前記読取位置を前記第１位置まで移動させずに、前記読取位置が前記第３位置に到達したときに前記移動処理を終了する、画像読取装置。
【請求項２】
原稿を支持する支持面と、
前記支持面を覆う位置と前記支持面を露出させる位置とに開閉するカバー部と、
主走査方向に沿って並ぶ複数の読取素子を備え、前記主走査方向に直交する副走査方向に読取位置を移動しながら前記支持面に支持されている読取対象の原稿の画像を読み取る読取部と、
制御部と、を備え、
前記制御部は、
前記副走査方向の一端側に設定され、かつ前記読取部による読取を開始する読取開始位置である第１位置から、前記副走査方向の他端側に設定され、かつ前記第１位置よりも前記副走査方向に向かって離れた位置であって前記読取部による読取を終了する読取終了位置である第２位置へ副走査方向に前記読取位置を移動させながら、前記読取対象の原稿の画像を読み取らせる読取処理と、
前記読取処理の実行前に実行される処理であって、前記第１位置と前記第２位置との間に設けられ、かつ前記第１位置から前記副走査方向に所定距離だけ離れた位置を第３位置として、前記読取位置を、前記第３位置から前記第１位置に向かって前記副走査方向に移動させながら前記読取対象の原稿の画像を読み取らせ、その読み取られた原稿の画像データから前記読取対象の原稿の前記主走査方向の原稿幅を決定する決定処理と、
前記決定処理によって決定された前記主走査方向の原稿幅に基づいて、前記第２位置を設定する設定処理と、を実行可能であり、
前記制御部は、
前記読取処理の実行後、
前記読取位置を前記第２位置から前記第１位置へ向かう方向に移動させる移動処理を実行し、
前記移動処理により、前記読取位置が前記第３位置へ到達するまでの期間に、次の原稿の読取を継続する指示を検出する検出処理を実行し、
前記検出処理により、次の原稿の読取を継続する指示が検出された場合、前記読取位置を前記第１位置まで移動させずに、前記読取位置が前記第３位置に到達したときに前記移動処理を終了する、画像読取装置。
【請求項３】
請求項２に記載の画像読取装置において、
前記制御部は、
前記次の原稿に対する前記設定処理を実行後、前記読取位置を前記第１位置に移動させ、前記読取処理を実行する、画像読取装置。
【請求項４】
請求項１から３のいずれか１項に記載の画像読取装置において、
前記制御部は、
前記移動処理により、前記読取位置が前記第３位置へ到達するまでの期間に、前記検出処理を繰り返し実行する、画像読取処理。
【請求項５】
請求項４に記載の画像読取装置において、
ユーザによる入力操作を受け付ける操作部を備え、
前記検出処理は、前記操作部を介して入力される、次の原稿の読取を継続する旨の指示を検出する操作検出処理を含む、画像読取装置。
【請求項６】
請求項５に記載の画像読取装置において、
表示部を備え、
前記制御部は、前記検出処理の実行中に、
前記表示部に、次の原稿の読取を継続するかを問い合わせる表示をさせる表示処理を実行する、画像読取装置。
【請求項７】
請求項４ないし請求項６のいずれか１項に記載の画像読取装置において、
前記カバー部の開閉を検出する開閉検出部を備え、
前記検出処理は、
前記開閉検出部による前記カバー部の開閉の検出を、次の原稿の読取を継続する指示として検出する開閉検出処理を含む画像読取装置。
【請求項８】
請求項１ないし請求項７のいずれか１項に記載の画像読取装置において、
前記第１位置より前記副走査方向の一端側に設定され、かつ前記読取位置の待機位置である第４位置を有し、
前記制御部は、
前記検出処理により、次の原稿の読取を継続する指示が検出されなかった場合、前記読取位置が前記第４位置に到達したときに前記移動処理を終了する、画像読取装置。
【発明の詳細な説明】
【技術分野】
【０００１】
本発明は、画像読取装置に関する。
【背景技術】
【０００２】
従来、原稿読取装置の原稿台上に載置された原稿のサイズを自動で判定する原稿読取装置が知られている。
【０００３】
特許文献１には、従来の原稿読取装置の例が開示されている。この原稿読取装置は、主走査方向に複数の点光源素子を配列した点光源アレイを点灯させ、原稿台に載置された原稿に照射し、その反射光をイメージセンサで受光する構成を備えている。これにより、主走査方向における原稿の有無を検知し、原稿サイズ判定処理を実行可能である。
【０００４】
この原稿読取装置は、原稿台の上面を覆う閉状態と、原稿台の上面を開放する開状態とに移動可能な圧板を備えている。原稿読取装置は、圧板の開状態を検知すると、点光源アレイを支持しているキャリッジをホームポジション（待機位置）から原稿読取位置へ移動させる。その後、原稿読取装置は、圧板の閉状態を検知すると、点光源アレイを点灯させ、キャリッジを原稿読取位置からホームポジションへ向かって移動させながら主走査方向における原稿の有無を検知し、原稿サイズ判定処理を実行する。
【０００５】
原稿サイズを判定後、原稿読取装置は、点光源アレイを消灯し、キャリッジをホームポジションに停止させて、原稿読取を指示する操作入力が入力されるまで待機する。
【先行技術文献】
【特許文献】
【０００６】
【特許文献１】特開２０１０−２２６６９０号公報
【発明の概要】
【発明が解決しようとする課題】
【０００７】
しかしながら、従来の原稿読取装置では、１枚目の原稿の画像読取終了後、２枚目以降の原稿の原稿サイズ判定処理については、何ら考慮されていない。具体的には、従来の原稿読取装置では、１枚目の原稿の画像読取終了後、キャリッジをホームポジションへ移動させている。そのため、２枚目の原稿がある場合には、その２枚目の原稿に対する原稿サイズ判定処理のために、キャリッジをホームポジションから原稿読取位置へ移動させなければならない。３枚目以降の原稿の原稿サイズ判定処理についても同様である。この場合、１枚目の原稿の画像読取終了後、２枚目以降の原稿の原稿サイズ判定処理を実行するまでに、キャリッジをホームポジションへ移動させる時間、及びキャリッジをホームポジションから原稿読取位置へ移動させる時間が必要となり、複数枚の原稿の読取を行なう場合に、時間がかかるという問題がある。
【０００８】
本発明は、上述した問題点を解決するためになされたものであり、原稿台に載置された原稿のサイズを判定しつつ原稿の読取を行なう装置であって、複数枚の原稿を読み取る際に必要とする時間を短縮することが可能な画像読取装置を提供することを目的とする。
【課題を解決するための手段】
【０００９】
本発明の画像読取装置は、原稿を支持する支持面と、前記支持面を覆う位置と前記支持面を露出させる位置とに開閉するカバー部と、主走査方向に沿って並ぶ複数の読取素子を備え、前記主走査方向に直交する副走査方向に読取位置を移動しながら前記支持面に支持されている読取対象の原稿の画像を読み取る読取部と、制御部と、を備え、前記制御部は、前記副走査方向における位置であって前記読取部による読取を開始する読取開始位置である第１位置から、前記第１位置よりも前記副走査方向に離れた位置であって前記読取部による読取を終了する読取終了位置である第２位置へ副走査方向に前記読取位置を移動させながら、前記読取対象の原稿の画像を読み取らせる読取処理と、前記読取処理の実行前に実行される処理であって、前記第１位置と前記第２位置との間に設けられ、かつ前記第１位置から前記副走査方向に所定距離だけ離れた位置を第３位置として、前記読取位置を、前記第３位置から前記第１位置に向かって前記副走査方向に移動させながら前記読取対象の原稿の画像を読み取らせ、その読み取られた原稿の画像データから前記読取対象の原稿の前記主走査方向の原稿幅を決定する決定処理と、を実行可能であり、前記制御部は、前記読取処理の実行後、前記読取位置を前記第２位置から前記第１位置へ向かう方向に移動させる移動処理を実行し、前記移動処理により、前記読取位置が前記第３位置へ到達するまでの期間に、次の原稿の読取を継続する指示を検出する検出処理を実行し、前記検出処理により、次の原稿の読取を継続する指示が検出された場合、前記読取位置を前記第１位置まで移動させずに、前記読取位置が前記第３位置に到達したときに前記移動処理を終了する。
【００１０】
そのため、原稿台に載置された原稿のサイズを判定しつつ原稿の読取を行なう装置であって、複数枚の原稿を読み取る際に必要とする時間を短縮することが可能である。
【００１１】
本発明の画像読取装置は、原稿を支持する支持面と、前記支持面を覆う位置と前記支持面を露出させる位置とに開閉するカバー部と、主走査方向に沿って並ぶ複数の読取素子を備え、前記主走査方向に直交する副走査方向に読取位置を移動しながら前記支持面に支持されている読取対象の原稿の画像を読み取る読取部と、制御部と、を備え、前記制御部は、前記副走査方向の一端側に設定され、かつ前記読取部による読取を開始する読取開始位置である第１位置から、前記副走査方向の他端側に設定され、かつ前記第１位置よりも前記副走査方向に向かって離れた位置であって前記読取部による読取を終了する読取終了位置である第２位置へ副走査方向に前記読取位置を移動させながら、前記読取対象の原稿の画像を読み取らせる読取処理と、前記読取処理の実行前に実行される処理であって、前記第１位置と前記第２位置との間に設けられ、かつ前記第１位置から前記副走査方向に所定距離だけ離れた位置を第３位置として、前記読取位置を、前記第３位置から前記第１位置に向かって前記副走査方向に移動させながら前記読取対象の原稿の画像を読み取らせ、その読み取られた原稿の画像データから前記読取対象の原稿の前記主走査方向の原稿幅を決定する決定処理と、前記決定処理によって決定された前記主走査方向の原稿幅に基づいて、前記第２位置を設定する設定処理と、を実行可能であり、前記制御部は、前記読取処理の実行後、前記読取位置を前記第２位置から前記第１位置へ向かう方向に移動させる移動処理を実行し、前記移動処理により、前記読取位置が前記第３位置へ到達するまでの期間に、次の原稿の読取を継続する指示を検出する検出処理を実行し、前記検出処理により、次の原稿の読取を継続する指示が検出された場合、前記読取位置を前記第１位置まで移動させずに、前記読取位置が前記第３位置に到達したときに前記移動処理を終了する。
【００１２】
そのため、原稿台に載置された原稿のサイズを判定しつつ原稿の読取を行なう装置であって、複数枚の原稿を読み取る際に必要とする時間を短縮することが可能である。
【発明の効果】
【００１３】
本発明によれば、原稿台に載置された原稿のサイズを判定しつつ原稿の読取を行なう装置であって、複数枚の原稿を読み取る際に必要とする時間を短縮することが可能な画像読取装置を提供することができる。
【図面の簡単な説明】
【００１４】
【図１】本実施形態の画像読取装置の内部構造を示す概略断面図である。
【図２】本実施形態の画像読取装置のカバーが開いた状態を示す上面図である。
【図３】本実施形態の画像読取装置の電気的構成を概略的に示すブロック図である。
【図４】本実施形態の画像読取装置による制御処理を示すフローチャートである。
【図５】本実施形態の画像読取装置による読取後移動処理を示すフローチャートである。
【図６】本実施形態の画像読取装置による原稿サイズ検知処理を示すフローチャートである。
【図７】本実施形態の画像読取装置による読取処理を示すフローチャートである。
【図８】本実施形態の画像読取装置における読取デバイスの動作を示す概略図である。
【図９】従来の画像読取装置における読取デバイスの動作を示す概略図である。
【発明を実施するための形態】
【００１５】
以下、本発明の一実施形態に係る画像読取装置１について説明する。まず、図１、図２を参照しつつ、画像読取装置１の構成について説明する。図１及び図２において、前後、左右及び上下の各方向を表示する。図２に示す各方向は、全て図１に示す各方向に対応させて表示する。
【００１６】
［画像読取装置の外観構成］
画像読取装置１は、図１に示すように、プラテンガラス２、カバー部３、読取デバイス４、及び移動機構５などを備えている。プラテンガラス２は、画像読取装置１の直方体形状の筐体１１の上部に形成された開口１１ａを、筐体１１の内側から閉塞している。プラテンガラス２の上面において、開口１１ａから露出している部分は、読取対象の原稿が載置される原稿載置面２ａを構成する。カバー部３は、その一端部が筐体１１の上面に回動可能に支持されており、原稿載置面２ａを覆う閉位置（図１中破線で示す位置）と原稿載置面２ａを露出させる開位置（図１中実線で示す位置）とを取り得る。なお、図２は、カバー部３が開位置にある状態で画像読取装置１を上方から見たときの読取デバイス４の位置を示すものであり、移動機構５の図示は省略している。原稿載置面２ａは、本発明の「支持面」の一例である。
【００１７】
読取デバイス４及び移動機構５は、図１に示すように、筐体１１の内部に配置されている。読取デバイス４は、ＣＩＳ（Ｃｏｎｔａｃｔ  Ｉｍａｇｅ  Ｓｅｎｓｏｒ）４４、及びキャリッジ４７で構成される。ＣＩＳ４４は、イメージセンサ４１、光源４３、及びロッドレンズアレイ４５で構成され、キャリッジ４７に搭載されている。なお、図２においては、イメージセンサ４１のみを図示している。イメージセンサ４１は、図示しない複数の受光素子が図２に示す主走査方向に配列されたリニアイメージセンサである。光源４３は、発光ダイオードなどで構成されており、プラテンガラス２に向けて光を出射する。ロッドレンズアレイ４５は、光源４３から出射され被照射物により反射された光線をイメージセンサ４１の各受光素子４０に結像させる。その各受光素子４０に結像される位置が読取位置である。これにより、被照射物の画像が主走査方向に１ライン分読み取られる。ＣＩＳ４４は、本発明の「読取部」の一例である。
【００１８】
移動機構５は、図１に示すように、読取デバイス４を主走査方向と直交する副走査方向（図１中左右方向）に移動させるものである。図１に示すように、移動機構５は、正逆回転可能なモータ５９によって駆動される駆動プーリ５１と、従動プーリ５３と、駆動プーリ５１及び従動プーリ５３に架け渡されたエンドレスのベルト５５などで構成されている。図１に示すように、駆動プーリ５３は、筐体１１の内部における副走査方向の一端側に配置され、一方で、駆動プーリ５１は、筐体１１の内部における副走査方向の他端側に配置されている。ベルト５５には、キャリッジ４７が取り付けられており、駆動プーリ５１の回転によりベルト５５が移動することでキャリッジ４７に搭載されたＣＩＳ４４が副走査方向に往復移動できるように構成されている。
【００１９】
プラテンガラス２の左方には、図１に示す調整基準板１３が配置されている。この調整基準板１３は、副走査方向に並べられる白テープ１３ａ及び黒テープ１３ｂから構成されている。読取デバイス４によって、白テープ１３ａ及び黒テープ１３ｂの画像は読み取られ、その画像データに対応する白画素から黒画素へ変化する位置、または黒画素から白画素へ変化する位置が、図１及び図２に示すホームポジションＨＰである。後述する制御部９（図３参照）は、画像読取装置１に電源が投入された後、読取デバイス４をホームポジションＨＰに待機させる。さらに、制御部９は、後述する読取処理を実行する前に、読取デバイス４に白テープ１３ａの画像を読み取らせ、白補正等の補正処理を実行する。ホームポジションＨＰは、本発明の「第４位置」の一例である。
【００２０】
制御部９は、後述する読取処理において、まず、図１及び図２に示す読取開始位置ＰＳの位置で読取デバイス４の光源４３を点灯開始させる。次に、制御部９は、読取デバイス４を、図１及び図２に示す読取開始位置ＰＳから読取終了位置ＰＥへ副走査方向に移動させながら、主走査方向に１ラインずつ画像を読み取る。ここで、図１及び図２に示す読取開始位置ＰＳ、読取終了位置ＰＥ、及び原稿検知位置ＰＤについて説明する。読取開始位置ＰＳは、原稿載置面２ａの左端の位置である。読取終了位置ＰＥは、制御部９により後述する原稿サイズ検知処理の検知結果である副走査方向の原稿幅（以下、副走査原稿幅と称す）に基づいて決められる位置である。読取開始位置ＰＳは、本発明の「第１位置」の一例、読取終了位置ＰＥは、本発明の「第２位置」の一例、及び原稿検知位置ＰＤは、本発明の「第３位置」の一例である。
【００２１】
具体的には、読取終了位置ＰＥは、読取開始位置ＰＳから原稿載置面２ａの右端へ向かって、副走査方向に副走査原稿幅の分だけ離れた位置となる。原稿検知位置ＰＤは、後述する原稿サイズ検知処理の開始位置であり、読取開始位置ＰＳから原稿載置面２ａの右端へ向かって、副走査方向に所定距離の分だけ離れた位置である。この所定距離は、前述の副走査原稿幅より短い距離であり、原稿検知位置ＰＤは、図１に示すように、読取開始位置ＰＳと読取終了位置ＰＥとの間に位置する。制御部９は、後述する原稿サイズ検知処理において、読取デバイス４を、原稿検知位置ＰＤから読取開始位置ＰＳへ向かって副走査方向に移動させながら、主走査方向に１ラインずつ画像を読み取る。ここで、読取開始位置ＰＳは、原稿載置面２ａの左端の位置に限られない。読取開始位置ＰＳは、原稿載置面２ａの左端から原稿載置面２ａの右端へ向かって、副走査方向に所定距離の分だけ離れた位置であってもよい。これにより、読取デバイス４によって筐体１１の画像が読み取られる虞を無くすことができる。
【００２２】
画像読取装置１の筐体１１の前面には、液晶や有機ＥＬ等の表示部６、及びスタートキー、ストップキー、テンキー等の各種のボタンによって構成される操作部７が設けられている（図３参照）。この表示部６及び操作部７により、画像読取装置１の動作状況の表示やユーザによる操作の入力が可能となっている。なお、表示部６及び操作部７は、表示部６による表示機能、及び操作部７による入力機能を兼ね備えたタッチパネルであってもよい。
【００２３】
［画像読取装置の電気的構成］
続いて、本実施形態の画像読取装置１の電気的構成について説明する。本実施形態の画像読取装置１が備える制御部９は、図３に示すように、ＣＰＵ（Ｃｅｎｔｒａｌ Ｐｒｏｃｅｓｓｉｎｇ Ｕｎｉｔ）９１、ＲＯＭ（Ｒｅａｄ Ｏｎｌｙ Ｍｅｍｏｒｙ）９２、ＲＡＭ（Ｒａｎｄｏｍ Ａｃｃｅｓｓ Ｍｅｍｏｒｙ）９３、及びカウンタ９４を有している。制御部９には、読取機構１０の読取デバイス４及び移動機構５、並びに、表示部６、操作部７、及びカバーセンサ８が接続されている。
【００２４】
制御部９は、ＲＯＭ９３に記憶された制御プログラムに従って、ＣＰＵ９１によって画像読取装置１の各部の制御を行う。ＲＯＭ９２は、後述する原稿サイズ検知処理、読取処理、及び読取後移動処理など、画像読取装置１の各種動作を実行するためのプログラムを記憶する。また、ＲＯＭ９２には、定型原稿サイズ毎に、シート短辺及びシート長辺の寸法を示すデータを定型原稿サイズのテーブルとして記憶されている。例えば、Ａ４サイズの原稿の場合、Ａ４サイズのシート短辺は２１０ｍｍ、シート長辺は２９７ｍｍであり、Ａ５、Ａ６、Ａ３等の定型原稿のシート短辺及びシート長辺の寸法を示すデータとともに、１つのテーブルとしてＲＯＭ９２に記憶されている。これにより、後述する原稿サイズ検知処理において、制御部９は、主走査方向における原稿幅に基づいて、定型原稿サイズのテーブルと比較し、読取終了位置ＰＥを設定することが可能となる。詳細については後述する。
【００２５】
ＲＡＭ９３は、各種制御プログラムが読み出される作業領域、制御部９の制御処理によって算出された算出結果、及び読取機構１０によって読み取られた画像データを一時的に記憶する記憶領域として利用される。
【００２６】
移動機構５を構成する前述のモータ５９は、本実施形態では、例えば、ステッピングモータであり、カウンタ９４は、モータ５９が１ステップ駆動される度に駆動ステップ数を１カウントする。制御部９は、カウンタ９４によってカウントされる駆動ステップ数にしたがってモータ５９を回転制御する。また、モータ５９は前述の通り、正逆回転可能なモータであり、制御部９はモータ５９の回転方向及び回転停止を制御する。ＲＯＭ９２には、読取デバイス４を、ホームポジションＨＰから読取開始位置ＰＳ、及びホームポジションＨＰから原稿検知位置ＰＤへ副走査方向に移動させるために必要なモータ５９の駆動ステップ数が記憶されている。なお、読取開始位置ＰＳから原稿検知位置ＰＤまでの距離は、後述する原稿サイズ検出処理の精度を考慮すると、１５ｍｍ以上確保されているのが好ましい。
【００２７】
カバーセンサ８は、制御部９によりカバー部３の開閉状態を検出するためのセンサである。カバーセンサ８は、例えばカバー部３が閉じられて閉状態になるとカバー部３に押されてオンになり、カバー部３が開けられて開状態になるとカバー部３に押されなくなることによってオフになる機械的なスイッチを用いることができる。なお、カバーセンサ８は制御部９がカバー部３の開閉状態を検出できるものであれば上述した構成に限られない。
【００２８】
また、ＲＡＭ９３には、後述する読取後移動処理において、制御部９によりカバー開フラグ、カバー閉フラグ、及び読取継続フラグが記憶される。ここで、カバー開フラグ及びカバー閉フラグは、それぞれカバーセンサ８により検出されたカバー部３の開状態及びカバー閉状態を示すフラグである。読取継続フラグは、ユーザから操作部７により原稿の読取を継続する指示の入力がなされたことを示すフラグである。詳細については、後述する。
【００２９】
［読取デバイスの動作］
続いて、本実施形態の画像読取装置１の読取後移動処理における読取デバイス４の動作について、図８、及び従来の読取後移動処理における読取デバイス４の動作を示す図９を参照して説明する。ここで、図８及び図９において、副走査方向に読取開始位置ＰＳから読取終了位置ＰＥへ向かう方向を往路方向とする。また、副走査方向に読取終了位置ＰＥから読取開始位置ＰＳへ向かう方向を復路方向とする。なお、ここでは、以降の説明を簡略化するために、１枚目の読取対象の原稿に対して、既に、後述する原稿サイズ検知処理によって、読取終了位置ＰＥが決められている場合を例に挙げて説明する。
【００３０】
従来では、図９に示すように、読取デバイス４がホームポジションＨＰから往路方向に移動し、１枚目の原稿の画像読取が終了した後、読取デバイス４は、読取終了位置ＰＥからホームポジションＨＰまで復路方向に移動していた。次に、カバーセンサ８によりカバー部３の開状態を検出した後、２枚目の読取対象の原稿に対する原稿サイズ検知処理のために、読取デバイス４は、ホームポジションＨＰから原稿検知位置ＰＤまで往路方向に移動していた。
【００３１】
一方、本実施形態では、図８に示すように、読取デバイス４がホームポジションＨＰから往路方向に移動して、１枚目の原稿の画像読取が終了した後、読取デバイス４は、読取終了位置ＰＥから復路方向に移動を開始する。読取デバイス４は、原稿検知位置ＰＤに到達するまでに、カバーセンサ８により、カバー部３の開閉が検出され、操作部７により、原稿の読取を継続する指示が入力された場合、原稿検知位置ＰＤで停止する。そのため、本実施形態では、従来の読取デバイス４と比較して、読取デバイス４は、図９に示す原稿検知位置ＰＤからホームポジションＨＰまでの移動Ｗ１及びホームポジションＨＰから原稿検知位置ＰＤまでの移動Ｗ２が不要となる。３枚目以降の読取対象の原稿についても同様である。したがって、本実施形態では、従来の読取デバイス４と比較して、２枚目以降の読取対象の原稿サイズ検知処理を実行するまでの時間を短縮することができる。
【００３２】
［制御処理］
続いて、本実施形態の画像読取装置１における制御処理について、図４のフローチャートを参照して説明する。以降の説明に用いられる往路方向及び復路方向は、図８に示すように、前述の読取デバイスの動作において説明した方向のことである。
【００３３】
本実施形態の画像読取装置１に電源が投入された後、制御部９により、図４に示す制御処理が実行される。制御部９は、電源投入後、読取デバイス４をホームポジションＨＰへ移動させる（Ｓ１）。次に、制御部９は、カバーセンサ８によってカバー部３の開状態が検出されたか否かを判断する（Ｓ２）。カバーセンサ８によってカバー部３の開状態が検出されなかったと判断した場合（Ｓ２：ＮＯ）、制御部９は、Ｓ２の判断処理を繰り返す。一方、カバーセンサ８によってカバー部３の開状態が検出されたと判断した場合（Ｓ２：ＹＥＳ）、制御部９は、読取前補正処理を実行する（Ｓ３）。カバーセンサ８により、カバー部３の開状態が検出された場合、ユーザにより１枚目の読取対象の原稿Ｍが原稿載置面２ａに載置された可能性が高い。そのため、制御部９は、前述の通り、読取デバイス４に白補正等の読取前補正処理を実行させる。
【００３４】
次に、制御部９は、読取デバイス４に往路方向の移動を開始させ（Ｓ４）、読取デバイス４が原稿検知位置ＰＤに到達したか否かを判断する（Ｓ５）。制御部９は、モータ５９が原稿検知位置ＰＤに到達するのに必要な駆動ステップ数分だけ回転したか否かをカウンタ９４のカウント値に基づいて判断する。読取デバイス４が原稿検知位置ＰＤに到達していなかったと判断した場合（Ｓ５：ＮＯ）、Ｓ５の判断処理を繰り返す。一方、読取デバイス４が原稿検知位置ＰＤに到達したと判断した場合（Ｓ５：ＹＥＳ）、制御部９は、読取デバイス４の移動を停止させる（Ｓ６）。
【００３５】
次に、制御部９は、カバーセンサ８によってカバー部３の閉状態が検出されたか否かを判断する（Ｓ７）。カバーセンサ８によってカバー部３の閉状態が検出された場合（Ｓ７：ＹＥＳ）、原稿サイズ検知処理（Ｓ８）を実行する。この場合、カバー部３が開けられた後、カバー部３が閉じられたことになるので、制御部９は、ユーザにより原稿載置面２ａに読取対象の原稿Ｍが載置されたと判断し、原稿サイズ検知処理を実行する。
【００３６】
［原稿サイズ検知処理］
ここで、原稿サイズ検知処理（Ｓ８）について説明する。制御部９は、読取デバイス４を、原稿検知位置ＰＤから読取開始位置ＰＳへ復路方向に移動させながら、原稿載置面２ａに載置された原稿Ｍの画像を読み取る。制御部９は、読み取られた画像データから、公知のエッジ検出方法を用いて、図２に示す原稿Ｍの副走査方向に平行な前方エッジ及び後方エッジを検出し、主走査方向における原稿Ｍの原稿幅（以下、主走査原稿幅と称す）を決定する。次に、制御部９は、主走査原稿幅に基づいて、ＲＯＭ９２に記憶された前述の定型原稿サイズのテーブルにおける各定型原稿サイズのシート短辺及びシート長辺の寸法を示すデータと比較し、副走査方向における原稿幅（以下、副走査原稿幅と称す）を決定する。制御部９は、読取開始位置ＰＳから往路方向に副走査原稿幅分だけ離れた位置を読取終了位置ＰＥとして設定する。制御部９は、読取デバイス４をホームポジションＨＰから読取終了位置ＰＥへ往路方向に移動させるのに必要なモータ５９の駆動ステップ数をＲＡＭ９３に記憶させて、原稿サイズ検知処理を終了する。なお、制御部９は、読取デバイス４を原稿検知位置ＰＤから読取開始位置ＰＳへ向かって副走査方向に移動させながら原稿Ｍの画像を読み取り、読取デバイス４が読取開始位置ＰＳに到達する前に、主走査原稿幅を決定してもよい。
【００３７】
本実施形態の原稿サイズ検知処理について、図６のフローチャートを参照して説明する。なお、原稿Ｍの原稿サイズは、定型のＡ４サイズである。制御部９は、原稿検知位置ＰＤで停止している読取デバイス４に復路方向の移動を開始させる（Ｓ２００）。次に、制御部９は、読取デバイス４の光源４３を点灯させ（Ｓ２０１）、画像の読み取りを開始する（Ｓ２０２）。次に、制御部９は、読取デバイス４が読取開始位置ＰＳに到達したか否かを判断する（Ｓ２０３）。制御部９は、モータ５９が読取開始位置ＰＳに到達するのに必要な駆動ステップ数分だけ回転したか否かをカウンタ９４のカウント値に基づいて判断する。読取デバイス４が読取開始位置ＰＳに到達していなかったと判断した場合（Ｓ２０３：ＮＯ）、Ｓ２０３の判断処理を繰り返す。一方、読取デバイス４が読取開始位置ＰＳに到達したと判断した場合（Ｓ２０３：ＹＥＳ）、制御部９は、画像の読み取りを終了する（Ｓ２０４）。制御部９は、読取デバイス４により読み取られた画像データをＲＡＭ９３に記憶する。次に、制御部９は、読取デバイス４の光源４３を消灯させ（Ｓ２０５）、読取デバイス４の移動を停止させる（Ｓ２０６）。制御部９は、前述の通り、読取デバイス４によって読み取られた画像データから原稿Ｍの主走査原稿幅を決定し、その主走査原稿幅に基づいて、原稿Ｍの原稿サイズを特定する（Ｓ２０７）。ここで、制御部９は、前述の通り、ＲＡＭ９３に記憶された画像データから、原稿Ｍの主走査原稿幅を決定する。制御部９は、前述の通り、原稿Ｍの主走査原稿幅に基づいて、読取終了位置ＰＥの位置を図１及び図２に示す位置に設定する。制御部９は、前述の通り、ＲＡＭ９３に読取デバイス４を読取終了位置ＰＥへ往路方向に移動させるのに必要なモータ５９の駆動ステップ数を記憶させて、原稿サイズ検知処理を終了させる。Ｓ２００〜Ｓ２０７は、本発明の「決定処理」の一例である。また、Ｓ２０７は、本発明の「設定処理」の一例である。
【００３８】
［カバー閉状態  読取開始指示］
次に、制御部９は、カバーセンサ８によってカバー部３の開状態が検出されたか否かを判断する（Ｓ９）。カバーセンサ８によってカバー部３の開状態が検出されたと判断した場合（Ｓ９：ＹＥＳ）、制御部９は、Ｓ４以降の処理を繰り返す。この場合、ユーザによりカバー部３が開けられ、カバー部３が閉じられた後、再度、カバー部３が開かれたことになる。そのため、ユーザにより原稿載置面２ａに載置された１枚目の原稿Ｍが取り替えられる可能性がある。ユーザにより原稿Ｍが取り替えられた場合、再度、後述する原稿サイズ検知処理の実行が必要となるので、制御部９は、Ｓ４以降の処理を繰り返す必要がある。
【００３９】
一方、制御部９は、カバーセンサ８によってカバー部３の開状態が検出されなかったと判断した場合（Ｓ９：ＮＯ）、読取開始指示が入力されたか否かを判断する（Ｓ１０）。ここで、読取開始指示は、ユーザによって操作部７のスタートキー等のボタンが押下されることで、制御部９に入力される。読取開始指示が入力されなかったと判断した場合（Ｓ１０：ＮＯ）、制御部９は、Ｓ９以降の処理を繰り返す。一方、読取開始指示が入力されたと判断した場合（Ｓ１０：ＹＥＳ）、制御部９は、後述する読取処理（Ｓ１１）を実行する。
【００４０】
［カバー開状態  読取開始指示］
一方、カバーセンサ８によってカバー部３の閉状態が検出されなかった場合（Ｓ７：ＮＯ）、制御部９は、読取開始指示が入力されたか否かを判断する（Ｓ１５）。ここで、読取開始指示は、前述のＳ１０の処理と同様に、ユーザにより操作部７から制御部９に入力される。読取開始指示が入力されなかったと判断した場合（Ｓ１５：ＮＯ）、制御部９は、Ｓ７以降の処理を繰り返す。一方、読取開始指示が入力されたと判断した場合（Ｓ１５：ＹＥＳ）、制御部９は、読取デバイス４に復路方向の移動を開始させ（Ｓ１６）、読取デバイス４が読取開始位置ＰＳに到達したか否かを判断する（Ｓ１７）。制御部９は、モータ５９が読取開始位置ＰＳに到達するのに必要な駆動ステップ数分だけ回転したか否かをカウンタ９４のカウント値に基づいて判断する。読取デバイス４が読取開始位置ＰＳに到達していなかったと判断した場合（Ｓ１７：ＮＯ）、Ｓ１７の判断処理を繰り返す。一方、読取デバイス４が読取開始位置ＰＳに到達したと判断した場合（Ｓ１７：ＹＥＳ）、制御部９は、後述する読取処理を実行する（Ｓ１１）。
【００４１】
この場合、ユーザによりカバー部３が開けられたまま、操作部７により読取開始指示が入力されたことになる。カバー部３が開けられたままでは、読取デバイス４に外光が受光され、制御部９は、後述する原稿サイズ検知処理を正常に実行することができない虞がある。そのため、制御部９は、後述する原稿サイズ検知処理を実行することなく、読取終了位置ＰＥを図１及び図２に示す原稿載置面２ａの右端の位置とする。具体的には、制御部９は、前述のＳ１６の処理において、読取デバイス４の復路方向移動を開始させる前に、読取デバイス４をホームポジションＨＰから読取終了位置ＰＥへ往路方向に移動させるのに必要なモータ５９の駆動ステップ数をＲＡＭ９３に記憶させる。
【００４２】
［読取処理］
ここで、読取処理（Ｓ１１）について説明する。制御部９は、読取デバイス４を、図１及び図２に示す読取開始位置ＰＳから読取終了位置ＰＥへ往路方向に移動させながら、原稿載置面２ａに載置された原稿Ｍの画像を読み取る。
【００４３】
本実施形態における読取処理について、図７のフローチャートを参照して説明する。制御部９は、読取開始位置ＰＳで停止している読取デバイス４に往路方向の移動を開始させる（Ｓ３００）。次に、制御部９は、読取デバイス４の光源４３を点灯させ（Ｓ３０１）、画像の読み取りを開始する（Ｓ３０２）。次に、制御部９は、読取デバイス４が読取終了位置ＰＥに到達したか否かを判断する（Ｓ３０３）。制御部９は、モータ５９が読取終了位置ＰＥに到達するのに必要な駆動ステップ数分だけ回転したか否かをカウンタ９４のカウント値に基づいて判断する。読取デバイス４が読取終了位置ＰＥに到達していなかったと判断した場合（Ｓ３０３：ＮＯ）、Ｓ３０３の判断処理を繰り返す。一方、読取デバイス４が読取終了位置ＰＥに到達したと判断した場合（Ｓ３０３：ＹＥＳ）、制御部９は、画像の読み取りを終了する（Ｓ３０４）。制御部９は、読取デバイス４により読み取られた画像データをＲＡＭ９３に記憶する。次に、制御部９は、読取デバイス４の光源４３を消灯させ（Ｓ３０５）、読取デバイス４の移動を停止させて、読取処理を終了させる（Ｓ３０６）。次に、制御部９は、読取後移動処理を実行する（Ｓ１２）
［読取後移動処理］
本実施形態の読取後移動処理について、図５のフローチャートを参照して説明する。制御部９は、読取終了位置ＰＥで停止している読取デバイス４に復路方向の移動を開始させる（Ｓ１００）。次に、制御部９は、表示部６に次の原稿の読取を継続するかを問い合わせる表示を表示させる（Ｓ１０１）。次に、制御部９は、カバー開フラグ、カバー閉フラグ、及び読取継続フラグを初期化してＲＡＭ９３に記憶し、各フラグをオフする（Ｓ１０２）。なお、制御部９が、後述するＳ１０２〜Ｓ１０５及びＳ１１１〜Ｓ１１３の処理を実行している間に、制御部９は、Ｓ１０１の処理を実行してもよい。Ｓ１００は、本発明の「移動処理」の一例である。また、Ｓ１０１は、本発明の「表示処理」の一例である。
【００４４】
［読取後移動処理：原稿検知位置停止］
ここで、読取後移動処理（Ｓ１２）において、制御部９が、読取デバイス４を原稿検知位置ＰＤに停止させる場合について説明する。制御部９は、操作部７により、次の読取対象の原稿があることを示す指示が入力され、かつ、カバーセンサ８により、カバー部３の開閉が検出されたことを条件として、読取デバイス４を原稿検知位置ＰＤに停止させる。この場合、ユーザによりカバー部３が開閉され、次の読取対象の原稿Ｍが原稿載置面２ａに載置された可能性が高い。そのため、制御部９は、次の読取対象の原稿Ｍに対して原稿サイズ検知処理を実行し、読取終了位置ＰＥを設定するために、読取デバイス４を原稿検知位置ＰＤに停止させる。
【００４５】
読取後移動処理（Ｓ１２）において、制御部９が、読取デバイス４を原稿検知位置ＰＤに停止させる場合について図５のフローチャートを参照して説明する。制御部９は、カバーセンサ８により、カバー部３の開状態が検出されたか否かを判断する（Ｓ１０３）。カバーセンサ８により、カバー部３の開状態が検出されたと判断した場合（Ｓ１０３：ＹＥＳ）、制御部９は、ＲＡＭ９３に記憶されたカバー開フラグをオンする（Ｓ１１１）。次に、制御部９は、カバーセンサ８により、カバー部３の閉状態が検出されたか否かを判断する（Ｓ１０４）。カバーセンサ８により、カバー部３の閉状態が検出されたと判断した場合（Ｓ１０４：ＹＥＳ）、制御部９は、ＲＡＭ９３に記憶されたカバー閉フラグをオンする（Ｓ１１２）。次に、制御部９は、操作部７により、ユーザから次の原稿の読取を継続する指示が入力されたか否かを判断する（Ｓ１０５）。制御部９は、操作部７により、ユーザから次の原稿の読取を継続する指示が入力されたと判断した場合（Ｓ１０５：ＹＥＳ）、読取継続フラグをオンする（Ｓ１１３）。
【００４６】
次に、制御部９は、読取デバイス４が原稿検知位置ＰＤに到達したか否かを判断する（Ｓ１０６）。制御部９は、モータ５９が原稿検知位置ＰＤに到達するのに必要な駆動ステップ数分だけ回転したか否かをカウンタ９４のカウント値に基づいて判断する。読取デバイス４が原稿検知位置ＰＤに到達していなかったと判断した場合（Ｓ１０６：ＮＯ）、Ｓ１０３以降の判断処理を繰り返す。一方、読取デバイス４が原稿検知位置ＰＤに到達したと判断した場合（Ｓ１０６：ＹＥＳ）、制御部９は、読取継続フラグがオンされたか否かを判断する（Ｓ１０７）。読取継続フラグがオンされたと判断した場合（Ｓ１０７：ＹＥＳ）、制御部９は、カバー開フラグがオンされたか否かを判断する（Ｓ１０８）。カバー開フラグがオンされたと判断した場合（Ｓ１０８：ＹＥＳ）、制御部９は、カバー閉フラグがオンされたか否かを判断する（Ｓ１０９）。カバー閉フラグがオンされたと判断した場合（Ｓ１０９：ＹＥＳ）、制御部９は、読取デバイス４を停止させ、読取後移動処理を終了させる（Ｓ１１０）。これにより、読取デバイス４は、原稿検知位置ＰＤに停止する。Ｓ１０２〜Ｓ１０５及びＳ１１１〜Ｓ１１３は、本発明の「検出処理」の一例である。また、Ｓ１０２、Ｓ１０５、及びＳ１１３は、本発明の「操作検出処理」の一例である。また、Ｓ１０２〜Ｓ１０４及びＳ１１１〜Ｓ１１２は、本発明の「開閉検出処理」の一例である。
【００４７】
［読取後移動処理：読取開始位置停止］
ここで、読取後移動処理（Ｓ１２）において、制御部９が読取デバイス４を読取開始位置ＰＳに停止させる場合について説明する。制御部９は、操作部７により、次の読取対象の原稿があることを示す指示が入力され、かつ、カバーセンサ８により、カバー部３の開閉が検出されなかったことを条件として、読取デバイス４を読取開始位置ＰＳに停止させる。この場合、カバー部３は閉じられたままなので、前述の読取処理において、読み取られた原稿Ｍが次の読取対象の原稿となる。制御部９は、読取対象の原稿Ｍに対して、前述の原稿サイズ検知処理で原稿読取終了位置ＰＥを設定させているので、原稿サイズ検知処理を再度実行する必要が無い。そのため、制御部９は、読取デバイス４を読取開始位置ＰＳに停止させる。
【００４８】
また、制御部９は、操作部７により、次の読取対象の原稿があることを示す指示が入力され、かつ、カバーセンサ８により、カバー部３の開状態のみ検出されたことを条件として、読取デバイス４を読取開始位置ＰＳに停止させる。この場合、カバー部３は開けられたままなので、前述の通り、読取デバイス４に外光が受光され、制御部９は、原稿サイズ検知処理を正常に実行することができない虞がある。そのため、制御部９は、読取終了位置ＰＥを図１及び図２に示す原稿載置面２ａの右端の位置とし、読取デバイス４を読取開始位置ＰＳに停止させる。
【００４９】
読取後移動処理（Ｓ１２）において、制御部９が、読取デバイス４を読取開始位置ＰＳに停止させる場合について図５のフローチャートを参照して説明する。制御部９は、前述のＳ１０３の判断処理において、カバーセンサ８により、カバー部３の開状態が検出されなかったと判断した場合（Ｓ１０３：ＮＯ）、前述のＳ１０４以降の判断処理を実行する。この場合、ＲＡＭ９３に記憶されたカバー開フラグはオフのままである。ＲＡＭ９３に記憶されたカバー閉フラグ及び読取継続フラグは、前述のＳ１０４及びＳ１０５の判断処理において、オンされているものとする。そして、前述のＳ１０８の判断処理において、制御部９は、カバー開フラグがオンされなかったと判断し（Ｓ１０８：ＮＯ）、読取デバイス４が読取開始位置ＰＳに到達したか否かを判断する（Ｓ１１４）。制御部９は、モータ５９が読取開始位置ＰＳに到達するのに必要な駆動ステップ数分だけ回転したか否かをカウンタ９４のカウント値に基づいて判断する。読取デバイス４が読取開始位置ＰＳに到達していなかったと判断した場合（Ｓ１１４：ＮＯ）、Ｓ１１４以降の判断処理を繰り返す。読取デバイス４が読取開始位置ＰＳに到達したと判断した場合（Ｓ１１４：ＹＥＳ）、制御部９は、読取デバイス４を停止させ、読取後移動処理を終了させる（Ｓ１１５）。これにより、読取デバイス４は、読取開始位置ＰＳに停止する。
【００５０】
一方、制御部９は、前述のＳ１０３の判断処理において、カバー開フラグがオンされ、前述のＳ１０４の判断処理が実行されたとする。前述のＳ１０４の判断処理において、制御部９は、カバーセンサ８により、カバー部３の閉状態が検出されなかったと判断した場合（Ｓ１０４：ＮＯ）、前述のＳ１０５の判断処理を実行する。この場合、ＲＡＭ９３に記憶されたカバー開フラグはオンされ、カバー閉フラグはオフのままである。ＲＡＭ９３に記憶された読取継続フラグは、前述のＳ１０５の判断処理において、オンされているものとする。そして、前述のＳ１０８の判断処理において、制御部９は、カバー開フラグがオンされたと判断し（Ｓ１０８：ＹＥＳ）、カバー閉フラグがオンされたか否かを判断する（Ｓ１０９）。カバー閉フラグがオンされなかったと判断した場合（Ｓ１０９：ＮＯ）、制御部９は、読取終了位置ＰＥを図１及び図２に示す原稿載置面２ａの右端の位置として、必要なモータ５９の駆動ステップ数をＲＡＭ９３に記憶させる。次に、制御部９は、前述のＳ１１４の判断処理において、読取デバイス４が読取開始位置ＰＳに到達したと判断した場合（Ｓ１１４：ＹＥＳ）、前述と同様に、読取デバイス４を停止させる（Ｓ１１５）。これにより、前述と同様に、読取デバイス４は、読取開始位置ＰＳに停止する。
【００５１】
［読取後移動処理：ホームポジション停止］
ここで、読取後移動処理（Ｓ１２）において、制御部９が読取デバイス４をホームポジションＨＰに停止させる場合について説明する。制御部９は、前述のＳ１０５の判断処理において、操作部７により、ユーザから次の原稿の読取を継続する指示が入力されなかったと判断した場合（Ｓ１０５：ＮＯ）、前述のＳ１０６以降の判断処理を実行する。この場合、ＲＡＭ９３に記憶された読取継続フラグはオフのままである。そして、前述のＳ１０７の判断処理において、制御部９は、読取継続フラグがオンされなかったと判断し（Ｓ１０７：ＮＯ）、読取デバイス４がホームポジションＨＰに到達するまで復路移動を継続させ、ホームポジションＨＰで読取デバイス４を停止させる。
【００５２】
［読取後制御処理］
制御部９は、前述の読取後移動処理（Ｓ１２）を終了させた後、図４に示すフローチャートにおけるＳ１３の判断処理を実行する。Ｓ１３の判断処理において、制御部９は、読取デバイス４が原稿検知位置ＰＤに位置するか否かを判断する（Ｓ１３）。読取デバイス４が原稿検知位置ＰＤに位置すると判断した場合（Ｓ１３：ＹＥＳ）、制御部９は、前述の原稿サイズ検知処理を実行し（Ｓ１９）、前述の読取処理（Ｓ１１）以降の処理を繰り返す。一方、読取デバイス４が原稿検知位置ＰＤに位置しないと判断した場合（Ｓ１３：ＮＯ）、制御部９は、読取デバイス４が読取開始位置ＰＳに位置するか否かを判断する（Ｓ１４）。読取デバイス４が読取開始位置ＰＳに位置すると判断した場合（Ｓ１４：ＹＥＳ）、制御部９は、前述の読取処理（Ｓ１１）以降の処理を繰り返す。読取デバイス４が読取開始位置ＰＳに位置しないと判断した場合（Ｓ１４：ＮＯ）、読取デバイス４はホームポジションＨＰに位置すると判断し、画像読取装置１における制御処理を終了する。
【００５３】
［作用効果］
本実施形態の画像読取装置１は、原稿Ｍが載置される原稿載置面２ａと、原稿載置面２ａを覆う位置と原稿載置面２ａを露出させる位置とに開閉するカバー部３と、主走査方向に沿って並ぶ複数の読取素子を備え、主走査方向に直交する副走査方向に移動しながら原稿載置面２ａに載置されている読取対象の原稿Ｍの画像を読み取るＣＩＳ４４と、制御部９と、を備えている。制御部９は、副走査方向の一端側に設定されたＣＩＳ４４の読取開始位置ＰＳから、副走査方向の他端側に設定された読取終了位置ＰＥへ副走査方向にＣＩＳ４４を移動させながら、読取対象の原稿Ｍの画像を読み取らせる読取処理と、読取処理の実行前に実行される処理であって、ＣＩＳ４４を、読取開始位置ＰＳと読取終了位置ＰＥとの間に設けられ、かつ読取開始位置ＰＳから副走査方向に所定距離だけ離れた位置である原稿検知位置ＰＤから読取開始位置ＰＳに向かって副走査方向に移動させながら読取対象の原稿Ｍの画像を読み取らせ、その読み取られた原稿Ｍの画像データから読取対象の原稿Ｍの主走査原稿幅を決定する決定処理と、決定処理によって決定された主走査原稿幅に基づいて、読取終了位置ＰＥを設定する設定処理と、を実行可能であり、制御部９は、読取処理の実行後、ＣＩＳ４４を読取終了位置ＰＥから読取開始位置ＰＳへ向かう方向に移動させる移動処理を実行し、移動処理により、ＣＩＳ４４が原稿検知位置ＰＤへ到達するまでの期間に、次の原稿の読取を継続する指示を検出する検出処理を実行し、検出処理により、次の原稿の読取を継続する指示が検出された場合、ＣＩＳ４４を読取開始位置ＰＳまで移動させずに、前記読取部が原稿検知位置ＰＤに到達したときに前記移動処理を終了する。これにより、原稿台に載置された原稿のサイズを判定しつつ原稿の読取を行なう装置であって、複数枚の原稿を読み取る際に必要とする時間を短縮することが可能である。
【００５４】
また、制御部９は、移動処理により、ＣＩＳ４４が原稿検知位置ＰＤへ到達するまでの期間に、検出処理を繰り返し実行する。これにより、制御部９は、次の原稿の読取を継続する指示を精度よく検出することができる。
【００５５】
また、本実施形態の画像読取装置１は、ユーザによる入力操作を受け付ける操作部７を備え、検出処理は、操作部７を介して入力される、次の原稿の読取を継続する旨の指示を検出する操作検出処理を含む。これにより、ユーザは、次の原稿の読取を継続する指示を容易に入力できるので、ユーザの利便性を向上することができる。
【００５６】
また、本実施形態の画像読取装置１は、表示部６を備えている。制御部９は、検出処理の実行中に、表示部６に、次の原稿の読取を継続するかを問い合わせる表示をさせる表示処理を実行する。これにより、ユーザは、次の原稿の読取を継続する指示を入力するタイミングを把握できるので、ユーザの利便性を向上することができる。
【００５７】
また、本実施形態の画像読取装置１は、カバー部３の開閉を検出するカバーセンサ８を備えている。検出処理は、カバーセンサ８によるカバー部３の開閉の検出を、次の原稿の読取を継続する指示として検出する開閉検出処理を含む。これにより、制御部９は、次の原稿の読取を継続する指示を精度よく検出することができる。
【００５８】
また、制御部９は、次の原稿に対する設定処理を実行後、前記読取部を読取開始位置ＰＳに移動させ、読取処理を実行する。これにより、制御部９は、ＣＩＳ４４を読取開始位置ＰＳからホームポジションＨＰ及びホームポジションＨＰから読取開始位置ＰＳへ移動させることなく、次の原稿に対する読取処理を実行することができる。そのため、次の原稿を読み取る際に必要とする時間を短縮することが可能である。
【００５９】
また、本実施形態の画像読取装置１は、読取開始位置ＰＳより副走査方向の一端側に設定され、かつＣＩＳ４４の待機位置であるホームポジションＨＰを有している。制御部９は、検出処理により、次の原稿の読取を継続する指示が検出されなかった場合、ＣＩＳ４４がホームポジションＨＰに到達したときに移動処理を終了する。これにより、ＣＩＳ４４をホームポジションＨＰに待機させることができる。そのため、次の読取処理に対して読取前補正処理を実行するまでの時間を短縮することができる。
【００６０】
［他の実施形態］
本発明は上記記述及び図面によって説明した実施形態に限定されるものではなく、例えば、次のような実施形態も本発明の技術的範囲に含まれる。
【００６１】
（１）本実施形態では、画像読取装置１を用いて説明を行ったが、本発明はこれに限られず、プリンタ機能、コピー機能、ファクシミリ機能などを備えた複合機であってもよい。
【００６２】
（２）本実施形態では、画像読取装置１が１つのＣＰＵ９１を有し、この１つのＣＰＵ９１によって搬送読取処理等の各種処理が実行される例を用いて説明を行ったが、本発明はこれに限られない。例えば、複数のＣＰＵにより各部が構成されてもよければ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などのハード回路のみにより各部が構成されてもよい。さらには、単数又は複数のＣＰＵ及びＡＳＩＣによって、各部が構成されてもよい。
【００６３】
（３）また、ＣＰＵ９１が実行するプログラムは必ずしもＲＯＭ９２に記憶されている必要はなく、ＣＰＵ９１自身に記憶されていてもよければ、他の記憶装置に記憶されていてもよい。
【００６４】
（４）制御部９は、図５に示すフローチャートにおけるＳ１０１の処理を実行しなくてもよい。
【００６５】
この構成により、表示部６を設ける必要が無く、簡易な構成で、複数枚の原稿を読み取る際に必要とする時間を短縮することができる。
【００６６】
（５）制御部９は、図５に示すフローチャートにおけるＳ１０３、Ｓ１０４、Ｓ１０８、Ｓ１０９、及びＳ１１１〜Ｓ１１２の処理を実行しなくてもよい。この場合、制御部９は、読取継続フラグがオンされたと判断した場合（Ｓ１０７：ＹＥＳ）、読取デバイス４を停止させ、読取後移動処理を終了させる（Ｓ１１０）処理を実行してもよい。
【００６７】
この構成により、カバーセンサ８を設ける必要が無く、簡易な構成で、複数枚の原稿を読み取る際に必要とする時間を短縮することができる。
【００６８】
（６）制御部９は、図５に示すフローチャートにおけるＳ１０５、Ｓ１０７、及びＳ１１３の処理を実行しなくてもよい。この場合、制御部９は、カバー開フラグがオンされたと判断し（Ｓ１０８：ＹＥＳ）、カバー閉フラグがオンされたと判断した場合（Ｓ１０９：ＹＥＳ）、読取デバイス４を停止させ、読取後移動処理を終了させる（Ｓ１１０）処理を実行してもよい。
【００６９】
この構成により、操作部７を設ける必要が無く、簡易な構成で、複数枚の原稿を読み取る際に必要とする時間を短縮することができる。
【００７０】
（７）制御部９は、図５に示すフローチャートにおけるＳ１１０の処理を実行しなくてもよい。制御部９は、読取デバイス４が原稿検知位置ＰＤに到達したと判断し（Ｓ１０６：ＹＥＳ）、読取継続フラグがオンされたと判断し（Ｓ１０７：ＹＥＳ）、カバー開フラグがオンされたと判断し（Ｓ１０８：ＹＥＳ）、カバー閉フラグがオンされたと判断した場合（Ｓ１０９：ＹＥＳ）、図４に示すフローチャートにおける原稿サイズ検知処理（Ｓ１９）を実行してもよい。
【００７１】
この構成により、制御部９は、読取デバイス４を原稿検知位置ＰＤで停止させることなく、原稿サイズ検知処理を実行開始できるので、複数枚の原稿を読み取る際に必要とする時間をさらに短縮することができる。
【００７２】
（８）制御部９は、図６に示すフローチャートにおけるＳ２０７の処理を実行しなくてもよい。制御部９は、読取終了位置ＰＥを読取開始位置ＰＳから所定距離分だけ離れた位置に設定しもよい。この場合、読取終了位置ＰＥは、読取開始位置ＰＳから所定距離分だけ離れた原稿検知位置ＰＤより副走査方向の他端側に位置する。
【００７３】
この構成により、制御部９は、定型原稿サイズのテーブルをＲＯＭ９２に記憶する必要が無いのでメモリ容量の節約及び原稿サイズ検知処理終了までの時間短縮を実現できる。
【００７４】
（９）読取デバイス４はＣＩＳ４４を用いた構成に限られない。例えば、ＣＣＤ（Ｃｈａｒｇｅ  Ｃｏｕｐｌｅｄ  Ｄｒｉｖｅ  Ｉｍａｇｅ  Ｓｅｎｓｏｒ）であってもよい。この場合、ＣＣＤはユニット走査型でもよいし、ミラー走査型でもよい。
【産業上の利用可能性】
【００７５】
本発明は、画像読取装置等に利用可能である。
【符号の説明】
【００７６】
２ａ…原稿載置面、３…カバー部、４４…ＣＩＳ、９…制御部、１…画像読取装置
ＰＳ…読取開始位置、ＰＥ…読取終了位置、ＰＤ…原稿検知位置
【図１】
0006731180.tif 000002
【図２】
0006731180.tif 000003
【図３】
0006731180.tif 000004
【図４】
0006731180.tif 000005
【図５】
0006731180.tif 000006
【図６】
0006731180.tif 000007
【図７】
0006731180.tif 000008
【図８】
0006731180.tif 000009
【図９】
0006731180.tif 000010